(57)【要約】      （修正有）【課題】作業性を向上させることができる防水コネクタ及びダミー栓の取り付け方法を提供する。【解決手段】防水コネクタは、キャビティ１１ｄを有するハウジング１１と、キャビティ１１ｄに挿通されるダミー栓１２とを有する。ダミー栓１２は、熱の付与によって膨張するように構成される形状記憶樹脂で構成されるものであり、キャビティ１１ｄから露出した部分が、膨張状態でヘッド部１２ｂの形状となりキャビティ１１ｄを閉塞する。【選択図】図２
2018037305.tif 000002
【特許請求の範囲】
【請求項１】
キャビティを有するハウジングと、前記キャビティに挿通されるダミー栓とを有し、
前記ダミー栓は、熱の付与によって膨張するように構成されるものであり、膨張状態で前記キャビティを閉塞することを特徴とする防水コネクタ。
【請求項２】
請求項１に記載の防水コネクタにおいて、
前記ダミー栓は、前記キャビティ内に挿通される被挿通部と、該被挿通部の端部で前記キャビティから露出するヘッド部とを有し、
前記ヘッド部は曲面形状をなすように構成されることを特徴とする防水コネクタ。
【請求項３】
請求項１又は２に記載の防水コネクタにおいて、
前記ダミー栓は、前記キャビティ内に挿通される被挿通部と、該被挿通部の端部で前記キャビティから露出するヘッド部とを有し、
前記ヘッド部は、前記被挿通部及び前記キャビティよりも大径であることを特徴とする防水コネクタ。
【請求項４】
防水コネクタのハウジングに設けられたキャビティを閉塞するように取り付けられるダミー栓の取付方法であって、
熱の付与によって膨張するように構成されるダミー栓の被挿通部を前記キャビティに挿通する挿通工程と、
前記被挿通部が前記キャビティした状態で前記ダミー栓に対して熱を付与して前記ダミー栓を膨張させて前記キャビティを閉塞する膨張工程とを備えたことを特徴とするダミー栓の取付方法。
【請求項５】
請求項４に記載のダミー栓の取付方法であって、
前記ダミー栓は形状記憶樹脂で構成され、
前記膨張工程における熱の付与により前記キャビティから露出した前記ダミー栓のヘッド部が曲面形状をなすように原型復帰することを特徴とするダミー栓の取付方法。
【請求項６】
請求項４又は５に記載のダミー栓の取付方法であって、
前記膨張工程における熱の付与により前記キャビティから露出した前記ダミー栓のヘッド部が前記キャビティよりも大径に膨張することを特徴とするダミー栓の取付方法。
【発明の詳細な説明】
【技術分野】
【０００１】
本発明は、ハウジングのキャビティ内にダミー栓が取り付けられる防水コネクタ及びダミー栓の取付方法に関する。
【背景技術】
【０００２】
従来、キャビティを有するハウジングと、ハウジングのキャビティ内に挿通してキャビティを閉塞するダミー栓とを備えた防水コネクタが知られている（例えば特許文献１参照）。
【０００３】
このような防水コネクタでは、キャビティ内にダミー栓が挿入されることでキャビティ内への水の浸入が抑えられるようになっている。
【先行技術文献】
【特許文献】
【０００４】
【特許文献１】特開２０１３−２５８１１７号公報
【発明の概要】
【発明が解決しようとする課題】
【０００５】
ところで、上記のような防水コネクタでは、防水コネクタの種類に応じてキャビティの大きさも様々である。このため、キャビティを閉塞するためのダミー栓の大きさも複数種類存在し、例えばキャビティ内に挿通する場合には適切に使い分ける必要があり作業性の面で向上の余地が残されている。
【０００６】
本発明は、上記課題を解決するためになされたものであって、その目的は、作業性を向上させることができる防水コネクタ及びダミー栓の取付方法を提供することにある。
【課題を解決するための手段】
【０００７】
上記課題を解決する防水コネクタは、キャビティを有するハウジングと、前記キャビティに挿通されるダミー栓とを有し、前記ダミー栓は、熱の付与によって膨張するように構成されるものであり、膨張状態で前記キャビティを閉塞する。
【０００８】
この構成によれば、ダミー栓は熱の付与によって膨張するように構成されるものであるため、キャビティ内に挿通した状態で熱によってダミー栓を膨張させることでキャビティを閉塞することができる。これによってキャビティの大きさの違いが生じても同一のダミー栓を用いることができるため、従来のようにキャビティの種類（大きさ）に応じてダミー栓を使い分ける必要がなくなるため、作業性を向上させることができる。
【０００９】
上記防水コネクタにおいて、前記ダミー栓は、前記キャビティ内に挿通される被挿通部と、該被挿通部の端部で前記キャビティから露出するヘッド部とを有し、前記ヘッド部は曲面形状をなすように構成されることが好ましい。
【００１０】
この構成によれば、ダミー栓は、キャビティから露出するヘッド部が曲面形状であるため、露出部位にバリ等が生じることが抑えられるため、防水コネクタに接続される電線との干渉を抑えることができる。
【００１１】
上記防水コネクタにおいて、前記ダミー栓は、前記キャビティ内に挿通される被挿通部と、該被挿通部の端部で前記キャビティから露出するヘッド部とを有し、前記ヘッド部は、前記被挿通部及び前記キャビティよりも大径であることが好ましい。
【００１２】
この構成によれば、ダミー栓は、キャビティから露出するヘッド部が被挿通部及びキャビティよりも大径であるため、キャビティ内にダミー栓（被挿通部）が過度に挿通されることが抑えられる。
【００１３】
また上記課題を解決するダミー栓の取付方法は、防水コネクタのハウジングに設けられたキャビティを閉塞するように取り付けられるダミー栓の取付方法であって、熱の付与によって膨張するように構成されるダミー栓の被挿通部を前記キャビティに挿通する挿通工程と、前記被挿通部が前記キャビティした状態で前記ダミー栓に対して熱を付与して前記ダミー栓を膨張させて前記キャビティを閉塞する膨張工程とを備える。
【００１４】
この構成によれば、ダミー栓をキャビティに挿通した後にダミー栓に対して熱を付与してダミー栓を膨張させることでキャビティを閉塞することができるため、キャビティの大きさの違いが生じても同一のダミー栓を用いることができる。これにより、従来のようにキャビティの種類（大きさ）に応じてダミー栓を使い分ける必要がなくなるため、作業性を向上させることができる。
【００１５】
上記ダミー栓の取付方法において、前記ダミー栓は形状記憶樹脂で構成され、前記膨張工程における熱の付与により前記キャビティから露出した前記ダミー栓のヘッド部が曲面形状をなすように原型復帰することが好ましい。
【００１６】
この構成によれば、ダミー栓は、キャビティから露出するヘッド部が曲面形状であるため、露出部位にバリ等が生じることが抑えられるため、防水コネクタに接続される電線との干渉を抑えることができる。
【００１７】
上記ダミー栓の取付方法において、前記膨張工程における熱の付与により前記キャビティから露出した前記ダミー栓のヘッド部が前記キャビティよりも大径に膨張することが好ましい。
【００１８】
この構成によれば、ダミー栓は、キャビティから露出するヘッド部が被挿通部及びキャビティよりも大径であるため、キャビティ内にダミー栓（被挿通部）が過度に挿通されることが抑えられる。
【発明の効果】
【００１９】
本発明の防水コネクタ及びダミー栓の取付方法によれば、作業性を向上させることができる。
【図面の簡単な説明】
【００２０】
【図１】一実施形態における防水コネクタの斜視図。
【図２】（ａ）は同上における防水コネクタのハウジングのキャビティ内にダミー栓を構成する柱状体を挿通した状態を示す断面図、（ｂ）は同上における防水コネクタのハウジングのキャビティ内に挿通したダミー栓を構成する柱状体を原型復帰させた状態を示す断面図。
【図３】同上における防水コネクタのハウジングに対してダミー栓を取り付ける方法を説明するための斜視図。
【図４】同上における防水コネクタのハウジングに対してダミー栓を取り付ける方法を説明するための斜視図。
【図５】（ａ）は変形例におけるダミー栓を構成する筒状体の断面斜視図、（ｂ）変形例におけるダミー栓を原型復帰させた状態を示す断面斜視図。
【発明を実施するための形態】
【００２１】
以下、防水コネクタの一実施形態について説明する。
図１に示すように、本実施形態の防水コネクタ１０は、ハウジング１１と、ダミー栓１２とを有する。
【００２２】
図１及び図２（ａ）（ｂ）に示すように、本実施形態のハウジング１１は、計４つのキャビティ１１ａ〜１１ｄを備える。４つのキャビティ１１ａ〜１１ｄの内の３つのキャビティ１１ａ〜１１ｃには電線１３が挿通されてハウジング１１内に収容された端子（図示略）と電気的に接続されている。また、４つのキャビティ１１ａ〜１１ｄの内の残りの１つのキャビティ１１ｄにはそのキャビティ１１ｄを閉塞するようにダミー栓１２が挿通されている。
【００２３】
図２（ｂ）に示すように、ダミー栓１２は、キャビティ１１ｄ内に挿通される円柱部１２ａと、円柱部１２ａの長手方向（挿通方向）一端側に設けられた半球状のヘッド部１２ｂとを有する。ヘッド部１２ｂは、その直径がキャビティ１１ｄの直径よりも大きく、キャビティ１１ｄ内にダミー栓１２（円柱部１２ａ）が過度に挿通されることを抑えるようになっている。
【００２４】
また、本実施形態のダミー栓１２は、ポリプロピレン系又はポリエチレン系の形状記憶樹脂で構成される。ここで、図１及び図２（ｂ）において原型復帰したダミー栓１２を示しており、図２（ａ）において原型復帰前のダミー栓１２を示している。なお、以下の説明ではダミー栓１２の原型復帰前の状態を柱状体１２ｘという。
【００２５】
図２（ａ）に示すように、柱状体１２ｘは、その直径がキャビティ１１ｄの直径よりも小さい構成とされる。このため、キャビティ１１ｄ内に柱状体１２ｘを挿通し易くなっている。
【００２６】
次に、防水コネクタのダミー栓１２のハウジング１１への取付方法を説明する。
図３に示すように、ハウジング１１のキャビティ１１ａ〜１１ｄの内で利用していないキャビティ１１ｄに柱状体１２ｘを挿通する（挿通工程）。このとき前述したように柱状体１２ｘはその直径がキャビティ１１ｄの直径よりも小さい構成とされる。このため、キャビティ１１ｄ内に柱状体１２ｘを挿通し易くなっている。
【００２７】
図４に示すように、挿通した柱状体１２ｘに対してドライヤ等によって熱を付与し、柱状体１２ｘを原型復帰させる（膨張工程）。より具体的には、柱状体１２ｘにおいてキャビティ１１ｄ内に挿通された部分が膨張してキャビティ１１ｄを閉塞するように膨張するように原型復帰して円柱部１２ａとなる。一方、柱状体１２ｘにおいてキャビティ１１ｄから露出した部分が半球状に膨張して前記円柱部１２ａ及びキャビティ１１ｄよりも大径となるように原型復帰してヘッド部１２ｂとなる。このとき、ヘッド部１２ｂはハウジング１１外部に位置する部位が球面状となっている。このようにヘッド部１２ｂにバリのような電線１３と干渉しやすい部位が形成されにくくなっている。
【００２８】
次に、本実施形態の効果を記載する。
（１）ダミー栓１２は熱の付与によって膨張するように構成されるものであるため、キャビティ１１ｄ内に挿通した状態で熱によってダミー栓１２（柱状体１２ｘ）を膨張させることでキャビティ１１ｄを閉塞することができる。これによってキャビティ１１ｄの大きさの違いが生じても同一のダミー栓１２を用いることができるため、従来のようにキャビティの種類（大きさ）に応じてダミー栓を使い分ける必要がなくなるため、作業性を向上させることができる。
【００２９】
（２）ダミー栓１２は、キャビティ１１ｄから露出するヘッド部１２ｂが曲面形状であるため、露出部位にバリ等が生じることが抑えられるため、防水コネクタ１０に接続される電線１３との干渉を抑えることができる。
【００３０】
（３）ダミー栓１２は、キャビティ１１ｄから露出するヘッド部１２ｂが被挿通部としての円柱部１２ａ及びキャビティ１１ｄよりも大径であるため、キャビティ１１ｄ内にダミー栓１２（円柱部１２ａ）が過度に挿通されることが抑えられる。
【００３１】
なお、上記実施形態は、以下のように変更してもよい。
・上記実施形態では、ダミー栓１２を円柱部１２ａと円柱部１２ａよりも大径のヘッド部１２ｂを有する形状記憶樹脂で構成したが、これに限らない。
【００３２】
図５（ｂ）に示すように円柱部のみで構成してもよい。以下に、図５（ａ）（ｂ）に示す構成を説明する。
図５（ａ）（ｂ）に示すように、ダミー栓３０は、筒状の外皮部３１と、外皮部３１の内周面３１ａに塗布された独立発泡樹脂からなる充填剤３２とを有する。なお、図５（ａ）では発泡する前の充填剤３２を示しており、図５（ｂ）では発泡した後の充填剤３２を示している。
【００３３】
図５（ａ）に示すように、充填剤３２は、外皮部３１の内周面３１ａに塗布されて筒状をなすように構成される。なお、予め外皮部３１内を埋めるように充填剤３２を充填（塗布）するようにしてもよい。
【００３４】
このような状態の充填剤３２に例えばドライヤ等によって熱を付与すると発泡して充填剤３２が図５（ｂ）に示すような膨張状態となる。これによって外皮部３１も膨張してダミー栓３０の直径が大きくなるようになっている。
【００３５】
このような構成とすることでダミー栓３０をキャビティ１１ｄ（図１参照）内に挿通した後に充填剤３２を膨張させてダミー栓３０によってキャビティ１１ｄ内を閉塞することが可能となる。
【００３６】
これにより、キャビティ１１ｄの大きさの違いが生じても同一のダミー栓３０を用いることができるため、従来のようにキャビティの種類（大きさ）に応じてダミー栓を使い分ける必要がなくなるため、作業性を向上させることができる。但し、外皮部３１によって膨張量が規制されており、キャビティ１１ｄ内で膨張した場合であっても不必要に膨張して予期せぬ箇所に充填剤３２が侵入することが抑えられている。
【００３７】
また、本例では充填剤３２は、独立発泡樹脂であるため、ダミー栓３０が挿通されるキャビティ内への水の浸入が抑えられるようになっている。
・上記実施形態では、ヘッド部１２ｂを球面形状としたが、その形状は適宜変更してもよく、例えば平面形状や凹凸面形状であってもよい。
【００３８】
・上記実施形態では、キャビティ１１ｄから露出するヘッド部１２ｂをキャビティ１１ｄ並びに円柱部１２ａよりも大径となるように構成したが、これに限らず、同径又は小径であってもよい。
【００３９】
・上記実施形態並びに各変形例は適宜組み合わせてもよい。
【符号の説明】
【００４０】
１０…防水コネクタ、１１…ハウジング、１１ａ〜１１ｄ…キャビティ、１２…ダミー栓、１２ａ…被挿通部としての円柱部、１２ｂ…ヘッド部、３０…ダミー栓。
【図１】
2018037305.tif 000003
【図２】
2018037305.tif 000004
【図３】
2018037305.tif 000005
【図４】
2018037305.tif 000006
【図５】
2018037305.tif 000007